(57)【要約】【課題】簡易な構成であり、コネクタの低背化を実現し、誤った操作をしても、メモリカードがコンタクトを傷めないメモリカード用コネクタを提供する。【解決手段】メモリカード１がコネクタ２に差し込まれ、電気的に接続する。カード差込部２２はコの字状に開口している差込口２２Ａを有する。複数のカンチレバーコンタクト２３はカード差込部２２に対向して整列する。カード差込部２２にメモリカード１が差し込まれると、カンチレバーコンタクト２３によってメモリカード１が傾斜状態に保持されるポップアップ機構を構成する。差込口２２Ａにおけるメモリカード１の当接辺２２Ｂとカンチレバーコンタクト２３における先端外面との距離ｄがメモリカード１の板厚ｔより小さく配置される。誤った操作をしても、メモリカード１は円弧突起２３Ｃに掛着しない。【選択図】      図６
2005038684.tif 000002
【特許請求の範囲】
【請求項１】
メモリカードが差し込まれることによって当該メモリカードと電気的に接続するメモリカード用コネクタであって、
コの字状に開口している差込口を有するカード差込部と、
前記カード差込部に対向して整列している複数のカンチレバーコンタクトと、を備えており、
前記カード差込部に前記メモリカードが差し込まれると、前記カンチレバーコンタクトの付勢力によって当該メモリカードが傾斜状態に保持されるポップアップ機構を構成しており、
前記差込口における前記メモリカードの当接辺と前記カンチレバーコンタクトにおける先端外面との距離が当該メモリカードの板厚より小さくなるよう配置されており、当該メモリカードが前記カンチレバーコンタクトにおける先端に掛着しないことを特徴とするメモリカード用コネクタ。
【請求項２】
一端辺近傍に面上接続端子が配列されているメモリカードが差し込まれることによって当該メモリカードと電気的に接続するメモリカード用コネクタであって、
前記メモリカードにおける面上接続端子の配列面が下面となるように当該メモリカードが載置される凹部と、
前記凹部の延長上に形成されており、前記メモリカードにおける面上接続端子が配列されている一端子近傍が緩挿される差込口を有する収納空間からなる薄直方体形状のカード差込部と、
前記凹部の底壁内に固着されている固定部と先端部に円弧突起が形成されている弾性部とで構成されているカンチレバーコンタクトであって、当該弾性部は前記凹部の底壁から立ち上がり、当該円弧突起は前記カード差込部に対向して整列されており、前記カード差込部に挿入されている当該メモリカードにおける前記面上接続端子と反対側の端辺を立ち上げるよう当該円弧突起が力を付勢する複数のカンチレバーコンタクトと、を備えており、
前記カード差込部は、前記複数のカンチレバーコンタクトに付勢される前記メモリカードが当接される抑止上壁を更に備えており、
前記円弧突起に対向している前記抑止上壁における前記差込口の隅部と、前記円弧突起との間隔は前記メモリカードの板厚より小さくなるように前記カンチレバーコンタクトは配置されており、
前記メモリカードが前記カード差込部に差し込まれると、前記円弧突起は当該メモリカードに押されて沈下し、当該メモリカードの端部は当該円弧突起と滑り結合することを特徴とするメモリカード用コネクタ。
【請求項３】
請求項１又は２のいずれかに記載のメモリカード用コネクタにおいて、
前記メモリカードはマルチメディアカードを含むことを特徴とするメモリカード用コネクタ。
【請求項４】
請求項２又は３のいずれかに記載のメモリカード用コネクタにおいて、
前記カンチレバーコンタクトは、前記固定部と先端部に球面突起が形成されている弾性部とで構成されていることを特徴とするメモリカード用コネクタ。
【発明の詳細な説明】
【０００１】
【発明の属する技術分野】
本発明は、ＳＤ（Ｓｅｃｕｒｅ  Ｄｉｇｉｔａｌ）メモリカード、マルチメディアカード（Ｍｕｌｔｉｍｅｄｉａ  Ｃａｒｄ：以下、ＭＭＣと略称する）等のメモリカードが差し込まれることによって、当該メモリカードと電気的に接続するメモリカード用コネクタに関する。
【０００２】
【従来の技術】
カード型の記憶装置であるメモリカードは、記憶媒体としてフラッシュメモリを採用している。このメモリカードは非常に小型であり、データの読み書きにほとんど電力を消費しないため、例えば、カメラ付き携帯電話やＰＤＡ（Ｐｅｒｓｏｎａｌ  Ｄｉｇｉｔａｌ  Ａｓｓｉｓｔａｎｃｅ）に代表される携帯型情報機器用の記録メディアとして普及している。
【０００３】
フレキシブルディスク（ＦＤ）や光磁気ディスク（ＭＯ）等のディスク型の記憶装置に比較して、このメモリカードは記憶容量が小さく、又、高価であるとされてきた。しかし、近年の技術進歩やメモリカードを使用する機器の普及に伴う量産効果により、最大で１２８ＭＢ程度の大記憶容量となり、低価格となってきている。
【０００４】
更に、このメモリカードは、データの読み書きにＦＤやＭＯ等のように駆動装置を必要としないというメリットがあるため、消費電力や携帯性が重要視されるデジタルカメラやノート型パソコン、携帯音楽プレーヤーには好適である。
【０００５】
一般的には、メモリカード用コネクタは、前述の機器に内装されるプリント基板に取り付けられる。そして、プリント基板に取り付けられているメモリカード用コネクタにメモリカードを装着するタイプの一つに、ポップアップタイプがある。
【０００６】
このポップアップタイプは、前述のプリント基板に対してメモリカードが傾斜して装着され、機器に備えられている蓋体を閉じることにより、前述のプリント基板に対して当該メモリカードが水平状態に維持される。このようなポップアップタイプは、メモリカード用コネクタが使用される機器の薄型化を可能とする。
【０００７】
例えば、複数のメモリカード用コネクタは、メモリカードをそれぞれ斜めにずらした状態で重なるように装着可能にホルダ上に配置され、前記ホルダの垂直方向に向けて回動可能に取り付けられている。又、メモリカード用コネクタの背面には、装着したメモリカードの面上コンタクトが露出するように切欠部が形成されているポップアップタイプのメモリカード装着装置が開示されている（例えば、特許文献１）。
【０００８】
前述のメモリカード装着装置をパソコン内に収容した場合、前記切欠部に露出しているメモリカードの面上コンタクトと電極部とが接触し電気的に接続されることで、結果としてメモリカードの面上コンタクトとパソコン間を電気的に接続する。このようにして、メモリカード装着装置の薄型化が可能となり、外部機器の小型化、高性能化に寄与する。
【０００９】
【特許文献１】
特開２０００−２５９７８０号公報
【００１０】
【発明が解決しようとする課題】
しかしながら、特許文献１によるポップアップタイプのコネクタは、トレーのように形成されたホルダにメモリカードが装着され、このホルダはプリント基板と回動軸で回転結合している。
【００１１】
更に、プリント基板には高さの異なる一対の板ばね部材が配列され、この一対の板ばね部材がメモリカードと電気的に接続しているとともに、コネクタとメモリカードが一体となって傾斜状態になるように、この一対の板ばね部材が力を付勢している。
【００１２】
このように、特許文献１によるポップアップタイプのコネクタは構成も複雑である。そして、更なる薄型化が求められている。例えば、携帯型情報機器等にこのコネクタが適用されるには、構造上に限界がある。
【００１３】
本発明は、上述した課題を解決すべく、簡易な構成であり、コネクタの低背化を実現し、メモリカードを誤って操作をしても、コネクタに備わるコンタクトを傷めない構造を有するポップアップタイプのメモリカード用コネクタを提供することを目的とする。
【００１４】
【課題を解決するための手段】
発明者は、上記目的を満たすため、以下のような新たなメモリカード用コネクタを発明した。
【００１５】
（１）  メモリカードが差し込まれることによって当該メモリカードと電気的に接続するメモリカード用コネクタであって、コの字状に開口している差込口を有するカード差込部と、前記カード差込部に対向して整列している複数のカンチレバーコンタクトと、を備えており、前記カード差込部に前記メモリカードが差し込まれると、前記カンチレバーコンタクトの付勢力によって当該メモリカードが傾斜状態に保持されるポップアップ機構を構成しており、前記差込口における前記メモリカードの当接辺と前記カンチレバーコンタクトにおける先端外面との距離が当該メモリカードの板厚より小さくなるよう配置されており、当該メモリカードが前記カンチレバーコンタクトにおける先端に掛着しないことを特徴とするメモリカード用コネクタ。
【００１６】
（２）  一端辺近傍に面上接続端子が配列されているメモリカードが差し込まれることによって当該メモリカードと電気的に接続するメモリカード用コネクタであって、前記メモリカードにおける面上接続端子の配列面が下面となるように当該メモリカードが載置される凹部と、前記凹部の延長上に形成されており、前記メモリカードにおける面上接続端子が配列されている一端子近傍が緩挿される差込口を有する収納空間からなる薄直方体形状のカード差込部と、前記凹部の底壁内に固着されている固定部と先端部に円弧突起が形成されている弾性部とで構成されているカンチレバーコンタクトであって、当該弾性部は前記凹部の底壁から立ち上がり、当該円弧突起は前記カード差込部に対向して整列されており、前記カード差込部に挿入されている当該メモリカードにおける前記面上接続端子と反対側の端辺を立ち上げるよう当該円弧突起が力を付勢する複数のカンチレバーコンタクトと、を備えており、前記カード差込部は、前記複数のカンチレバーコンタクトに付勢される前記メモリカードが当接される抑止上壁を更に備えており、前記円弧突起に対向している前記抑止上壁における前記差込口の隅部と、前記円弧突起との間隔は前記メモリカードの板厚より小さくなるように前記カンチレバーコンタクトは配置されており、前記メモリカードが前記カード差込部に差し込まれると、前記円弧突起は当該メモリカードに押されて沈下し、当該メモリカードの端部は当該円弧突起と滑り結合することを特徴とするメモリカード用コネクタ。
【００１７】
（３）  （１）又は（２）のいずれかに記載のメモリカード用コネクタにおいて、前記メモリカードはマルチメディアカードを含むことを特徴とするメモリカード用コネクタ。
【００１８】
（４）  （２）又は（３）のいずれかに記載のメモリカード用コネクタにおいて、前記カンチレバーコンタクトは、前記固定部と先端部に球面突起が形成されている弾性部とで構成されていることを特徴とするメモリカード用コネクタ。
【００１９】
（１）記載の発明によれば、「メモリカードが差し込まれることによって当該メモリカードと電気的に接続するメモリカード用コネクタであって、コの字状に開口している差込口を有するカード差込部と、前記カード差込部に対向して整列している複数のカンチレバーコンタクトと、を備えており、前記カード差込部に前記メモリカードが差し込まれると、前記カンチレバーコンタクトの付勢力によって当該メモリカードが傾斜状態に保持されるポップアップ機構を構成しており、前記差込口における前記メモリカードの当接辺と前記カンチレバーコンタクトにおける先端外面との距離が当該メモリカードの板厚より小さくなるよう配置されており、当該メモリカードが前記カンチレバーコンタクトにおける先端に掛着しない」ことを特徴としてよい。
【００２０】
メモリカードは、メモリチップをカード型外殻に封止したカード形状に形成され、一端辺近傍に面上接続端子が配列されている記憶装置であってよく、例えば、ＳＤカード、ＭＭＣを含んでよい。このメモリカードが本発明によるメモリカード用コネクタに差し込まれることによって、このメモリカードとこのメモリカード用コネクタが電気的に接続可能となる。
【００２１】
絶縁性のコネクタハウジングは、コの字状に開口している差込口を有するカード差込部を少なくとも備えており、このコネクタハウジングに複数のカンチレバーコンタクトが保持されている。
【００２２】
このカンチレバーコンタクトは、板ばね接触子であって、板ばねの働きが片持梁のコンタクトである。このカンチレバーコンタクトがカード差込部に対向して整列して配置されている。
【００２３】
つまり、このメモリカード用コネクタは、コンタクトが一列になっているシングルインラインコネクタである。カンチレバーコンタクトの配列数は、メモリカードに形成されている面上接続端子の極数に対応してよく、ＳＤカードの場合は、カンチレバーコンタクトは９極配列され、ＭＭＣの場合は、カンチレバーコンタクトは７極配列される。
【００２４】
好適な実施様態においては、絶縁性のコネクタハウジングは、メモリカードにおける面上接続端子の配列面が下面となるようにメモリカードが載置される凹部を備えている。
【００２５】
この凹部の延長上にカード差込部が形成されている。カード差込部は、メモリカードにおける面上接続端子が配列されている一端子近傍が緩挿される差込口を有する収納空間からなる薄直方体形状になっている。
【００２６】
一方、好適な実施様態においては、カンチレバーコンタクトは、固定部と弾性部とで構成されている。固定部は凹部の底壁内に圧入又はモールディングにより固着されており、弾性部は先端部に円弧突起が形成されている。なお、この円弧突起は、球面突起であってもよい。
【００２７】
このカンチレバーコンタクトは、弾性部が凹部の底壁から屈曲して立ち上がるように傾斜している。弾性部の縁部は、円弧突起が上方に突出するように形成されており、この円弧突起がカード差込部に対向して整列されている。そして、カード差込部に挿入されているメモリカードにおける前記面上接続端子と反対側の端辺を立ち上げるように、この円弧突起が力を付勢している。
【００２８】
言い換えれば、カード差込部にメモリカードが差し込まれると、このカンチレバーコンタクトの付勢力によってメモリカードが傾斜状態に保持されるポップアップ機構を構成している。
【００２９】
このカード差込部は、複数のカンチレバーコンタクトに付勢されるメモリカードが当接される抑止上壁を更に備えている。そして、差込口におけるメモリカードの当接辺は、円弧突起に対向している抑止上壁における差込口の隅部に相当している。
【００３０】
このような好適なメモリカード用コネクタにあっては、コネクタハウジングとカンチレバーコンタクトで構成される簡易な構成であり、従来のようにヒンジ構造を有していないので、コネクタの低背化が可能となった。
【００３１】
更に、本発明によるメモリカード用コネクタは、差込口におけるメモリカードの当接辺とカンチレバーコンタクトにおける先端外面との距離がメモリカードの板厚より小さくなるよう配置されている。
【００３２】
好適な実施様態においては、円弧突起に対向している抑止上壁における差込口の隅部と円弧突起との間隔は、メモリカードの板厚より小さくなるようにカンチレバーコンタクトは配置されている。すなわち、メモリカードが前記カード差込部に差し込まれると、前記円弧突起は当該メモリカードに押されて撓み、沈下するようになっている。
【００３３】
このような構造のメモリカード用コネクタにあっては、メモリカードを誤った方向に傾倒しても、当該メモリカードの端部は円弧突起と滑り結合することによって、メモリカードがカンチレバーコンタクトにおける先端に掛着しないという効果がある。
【００３４】
【発明の実施の形態】
以下に、本発明の実施の形態について図面に基づいて説明する。
【００３５】
図１は、本発明によるポップアップタイプの構造を有するメモリカード用コネクタの構成図である。図１の斜視図において、符号１はメモリカード、符号２はメモリカード用コネクタ（以下、コネクタと略称する）である。
【００３６】
図１（ａ）はメモリカード１がコネクタ２に装着される前の状態図である。図１（ａ）において、コネクタ２は、機器に内装されるプリント基板に表面実装されている。
【００３７】
そして、コネクタ２には、メモリカード１における面上接続端子（図示せず）の配列面が下面となるように、メモリカード１が載置される凹部２１が形成されている。又、コネクタ２は、凹部２１の延長上に形成されているカード差込部２２を備えている。
【００３８】
カード差込部２２は、メモリカード１における面上接続端子が配列されている一端子近傍が緩挿される差込口２２Ａを有する収納空間からなる薄直方体形状になっている。
【００３９】
図１（ａ）において、カンチレバーコンタクト２３は、固定部２３Ａと弾性部２３Ｂとで構成されている。固定部２３Ａは凹部２１の底壁内に固着されており、弾性部２３Ｂは先端部に円弧突起２３Ｃが形成されている。
【００４０】
図１（ａ）に示されるように、弾性部２３Ｂは、凹部２１の底壁から立ち上がり、円弧突起２３Ｃはカード差込部２２に対向して整列されている。そして、このカンチレバーコンタクト２３は、カード差込部２２に挿入されているメモリカード１における面上接続端子と反対側の端辺を立ち上げるよう円弧突起２３Ｃが力を付勢する。
【００４１】
図１（ｂ）は、このようなコネクタ２のカード差込部２２にメモリカード１が挿入されて、メモリカード１が傾斜して保持されている状態を示している。図１（ｂ）の状態から、このコネクタ２を装着している機器の図示されていない蓋体を閉じると、メモリカード１はカンチレバーコンタクト２３の付勢力に抗して、反時計方向に回転し、図１（ｃ）で示される状態になる。
【００４２】
図１（ｄ）は、前記蓋体を完全に閉じた状態図である。図１（ｄ）の状態は、このコネクタ２が実装されるプリント基板（図示せず）に対してメモリカード１が水平状態に維持される。
【００４３】
図１（ｄ）の状態において、カンチレバーコンタクト２３は面上接続端子に接触しており、この状態において、メモリカード１にデータが書き込み又は読み込みされる。
【００４４】
前述の特許文献１によるポップアップタイプのコネクタは、コネクタとメモリカードが一体となって傾斜状態から水平状態に回転するのに対し、図１に示される本発明によるポップアップタイプのコネクタは、メモリカードだけが傾斜状態から水平状態に回転するという違いがある。
【００４５】
本発明によるポップアップタイプのコネクタは構成も簡易であり、薄型化が求められる機器に好適な低背型のコネクタであるが、次の図２で説明されるように誤った操作をされる場合がある。
【００４６】
図２（ａ）は図１で示されたコネクタ２の縦断面図であり、メモリカード１が装着される前の状態図である。図２（ａ）において、差込口２２Ａにおけるメモリカード１の当接辺２２Ｂとカンチレバーコンタクト２３における先端外面との距離はメモリカード１の板厚より余裕をもって大きく構成されている。
【００４７】
したがって、図２（ｂ）に示されるように、メモリカード１はカード差込部２２とカンチレバーコンタクト２３の先端部の間に緩挿される。つまり、余裕をもって、緩やかに挿入される。
【００４８】
図２（ｂ）の状態から、メモリカード１は、正しくは、反時計方向に傾倒されるべきであるが、操作を誤ってメモリカード１を時計方向に傾倒させる場合がある。図２（ｃ）は、メモリカード１を時計方向に傾倒させて、メモリカード１がカンチレバーコンタクト２３の縁端部に当接している状態図である。
【００４９】
図２（ｃ）に示された状態から、メモリカード１を時計方向に更に傾倒させると図２（ｄ）に示された状態になる。図２（ｄ）においては、メモリカード１がカンチレバーコンタクト２３を引っ掛けており、カンチレバーコンタクト２３を弾性限度以上に変形させている。
【００５０】
このようなことを解消するため、図３の断面図に示された従来のカンチレバーコンタクト２３における先端部の円弧突起２３Ｃを、図４の断面図に示された円弧突起２３Ｄに形状修正させることが考えられる。
【００５１】
図４における円弧突起２３Ｄは、図３の円弧突起２３Ｃを円周方向に延長しており、円弧突起２３Ｄの終縁部は凹部２１の底面からΔｔの長さだけ収容されている。図４においては、図３の円弧突起２３Ｃのように凹部２１の底面から浮き上がっていないので、図２で示されたようにメモリカード１がカンチレバーコンタクト２３を引っ掛けることなく、メモリカード１の端部は円弧突起２３Ｄと滑り結合する。
【００５２】
しかしながら、図４においては、図１（ｄ）に示されるように、メモリカード１がコネクタ２に装着されてメモリカード１が水平状態に維持されたときに、円弧突起２３Ｄの終縁部がコネクタ２の実装面に当接しないようにΔｔの間隔が設けられている。
【００５３】
すなわち、図４における凹部２１の底壁の厚さｈ３は、図３における凹部２１の底壁の厚さｈ１より大きくなっている。このことは、図４におけるコネクタ２の実装高さＨ２は、図３におけるコネクタ２の実装高さＨ１より大きくなってしまうということを意味している。
【００５４】
このように、コネクタの実装高さが大きくなることはコネクタの低背化に逆行することになり、コネクタを使用している機器に収容できない等の支障が発生することも考えられる。
【００５５】
図５は、前述の操作誤りによるカンチレバーコンタクト２３の破損を防止できるメモリカード用コネクタ（以下、コネクタと略称する）の構成図である。図５（ａ）はコネクタ２の平面図、図５（ｂ）はコネクタ２の正面図、図５（ｃ）は図５（ａ）のＸ−Ｘ断面図である。なお、以下の図において、同一部材には同一符号を付しており、繰り返しの説明は省略する場合がある。
【００５６】
図５の実施形態に示されるように、絶縁性のコネクタハウジング２０は外形が平面視長方形であり、コネクタハウジング２０は上面が開放された凹部２１を形成している。凹部２１には、コネクタ２に装着されて傾倒するメモリカード１が載置される。
【００５７】
凹部２１の延長上には、カード差込部２２が形成されている。カード差込部２２は抑止上壁２２Ｃを有しており、この抑止上壁２２Ｃによって、メモリカード１が緩挿される差込口２２Ａを形成している。メモリカード１はこの差込口２２Ａに斜めに挿入される。
【００５８】
図５において、凹部２１の右隅には、メモリカード１の誤挿入を防止するための突起２１Ａが形成されている。メモリカード１は誤挿入を防止するために、一角が斜めに切り欠かれており、この切り欠きに対応して突起２１が形成されている。
【００５９】
すなわち、メモリカード１における面上接続端子の配列面が下面となるように当該メモリカード１はカード差込部２２に差し込まれるのが正規であるが、メモリカード１を裏返してカード差込部２２に差し込もうとしても、突起２１Ａに阻止されて、メモリカード１はカード差込部２２に差し込むことができない。
【００６０】
図５の実施形態において、カンチレバーコンタクト２３は、固定部２３Ａと弾性部２３Ｂとで構成されている。固定部２３Ａは凹部２１の底壁内に圧入又はモールディングにより固着されており、弾性部２３Ｂは先端部に円弧突起２３Ｃが形成されている。なお、この円弧突起２３Ｃは、球面突起であってもよい。
【００６１】
図５に示されるように、カンチレバーコンタクト２３は、弾性部２３Ｂが凹部２１の底壁から屈曲して立ち上がるように傾斜している。弾性部２３Ｂの縁部は、円弧突起２３Ｃが上方に突出するように形成されており、この複数の円弧突起２３Ｃがカード差込部２２に対向して整列されている。
【００６２】
そして、カード差込部２２に挿入されているメモリカード１における面上接続端子と反対側の端辺を立ち上げるように、この円弧突起２３Ｃが力を付勢している。
【００６３】
カード差込部２２は、差し込まれるメモリカード１の外形を規制する。カード差込部２２にメモリカード１が差し込まれることによって、メモリカード１に形成されている面上接続端子とカンチレバーコンタクト２３が位置合わせされる。
【００６４】
カンチレバーコンタクト２３における固定部２３Ａの端部は、コネクタハウジング２０の前面から突出しており、接合タブ２３Ｅを形成している。これら複数の接合タブ２３Ｅは、このコネクタ２が実装される図示されないプリント基板の信号パターンにはんだ接合される。
【００６５】
一方、コネクタ２の両翼には固定部材２４及び２５が固着されている。固定部材２４及び２５は、コネクタ２の両側面から突出して、それぞれ接合タブ２４Ａ及び２５Ａを形成している。又、固定部材２４及び２５は、コネクタ２の前面から突出して、それぞれ接合タブ２４Ｂ及び２５Ｂを形成している。
【００６６】
これら接合タブ２４Ａ及び２５Ａと接合タブ２４Ｂ及び２５Ｂは、このコネクタ２を機器に備えられるプリント基板に形成されている固定用ランドにはんだで接合される。
【００６７】
次に、本発明によるメモリカード用コネクタの作用を、図６の斜視図により説明する。
【００６８】
図６において、円弧突起２３Ｃに対向している抑止上壁２２Ｃにおける差込口２２Ａの隅部２２Ｂと、円弧突起２３Ｃとの間隔ｄは、メモリカード１の板厚ｔより小さくなるようにカンチレバーコンタクト２３は配置されている。すなわち、メモリカード１がカード差込部２２に差し込まれると、円弧突起２３Ｃはメモリカード１に押されて撓み、沈下するようになっている。
【００６９】
このような構造のコネクタ２にあっては、メモリカード１を誤った方向に傾倒しても、メモリカード１の端部は円弧突起２３Ｃと滑り結合することによって、メモリカード１がカンチレバーコンタクト２３における先端に掛着しないという作用が働く。
【００７０】
図７は図６の縦断面図であり、本発明によるコネクタ２にメモリカード１が装着されることによる状態変化図である。なお、図７は図２に対比される。
【００７１】
図７（ａ）は図６で示されたコネクタ２の縦断面図であり、メモリカード１が装着される前の状態図である。図７（ａ）において、差込口２２Ａにおけるメモリカード１の当接辺２２Ｂとカンチレバーコンタクト２３における先端外面との距離ｄはメモリカード１の板厚ｔより小さくなるよう配置されている。
【００７２】
したがって、図７（ｂ）に示されるように、メモリカード１が差込口２２Ａに差し込まれると、円弧突起２３Ｃはメモリカード１に押されて撓み、沈下する。
【００７３】
図７（ｃ）は、図７（ｂ）の状態から、操作を誤ってメモリカード１を時計方向に傾倒させた状態図である。本発明によるコネクタ２においては、メモリカード１を誤った方向に傾倒しても、図７（ｃ）に示されるように、メモリカード１の端部は円弧突起２３Ｃと滑り結合することによって、メモリカード１がカンチレバーコンタクト２３における先端に掛着しない。
【００７４】
図７（ｄ）は、図７（ｃ）に示された状態から、メモリカード１を時計方向に更に傾倒させた状態図である。図７（ｄ）の状態においても、メモリカード１の端部は円弧突起２３Ｃと滑り合うのみであり、図２（ｄ）に示されたように、メモリカード１がカンチレバーコンタクト２３を引っ掛けており、カンチレバーコンタクト２３を弾性限度以上に変形させることはない。
【００７５】
なお、図７（ｂ）から図７（ｄ）のいずれの状態からでも、メモリカード１をコネクタ２から離せば、カンチレバーコンタクト２３は図７（ａ）の状態に復帰する。又、図７（ｂ）の状態からメモリカード１を反時計方向に傾倒させれば、図１に示されたようにメモリカード１をコネクタ２に正しく装着できることは当然である。
【００７６】
【発明の効果】
本発明のメモリカード用コネクタは、コの字状に開口している差込口を有するカード差込部と、カード差込部に対向して整列している複数のカンチレバーコンタクトとを備えている。そして、カード差込部にメモリカードが差し込まれると、カンチレバーコンタクトの付勢力によってメモリカードが傾斜状態に保持されるポップアップ機構を構成している。
【００７７】
更に、差込口におけるメモリカードの当接辺とカンチレバーコンタクトにおける先端外面との距離が当該メモリカードの板厚より小さくなるよう配置されている。
【００７８】
このようなメモリカード用コネクタにあっては、メモリカードがカード差込部に差し込まれると、カンチレバーコンタクトの先端部に形成される円弧突起はメモリカードに押されて沈下し、メモリカードの端部は円弧突起と滑り結合することにより、誤った操作をしてもカンチレバーコンタクトを破損することがない。
【図面の簡単な説明】
【図１】本発明におけるメモリカード用コネクタの構成を示す斜視図である。
【図２】本発明におけるメモリカード用コネクタの縦断面図であり、メモリカード用コネクタにメモリカードが装着されることによる状態変化図である。
【図３】本発明におけるメモリカード用コネクタの縦断面図である。
【図４】図３とは異なる構造におけるメモリカード用コネクタの縦断面図である。
【図５】本発明における一実施の形態によるメモリカード用コネクタの構成図である。
【図６】本発明におけるメモリカード用コネクタの作用を説明するための斜視図である。
【図７】本発明におけるメモリカード用コネクタにメモリカードが装着されることによる状態変化図である。
【符号の説明】
１  メモリカード
２  メモリカード用コネクタ（コネクタ）
２０  コネクタハウジング
２１  凹部
２１Ａ  突起
２２  カード差込部
２２Ａ  差込口
２２Ｂ  当接辺（隅部）
２２Ｃ  抑止上壁
２３  カンチレバーコンタクト
２３Ａ  固定部
２３Ｂ  弾性部
２３Ｃ  円弧突起
【図１】
2005038684.tif 000003
【図２】
2005038684.tif 000004
【図３】
2005038684.tif 000005
【図４】
2005038684.tif 000006
【図５】
2005038684.tif 000007
【図６】
2005038684.tif 000008
【図７】
2005038684.tif 000009